【事件の表示】
　平成　８年特許願第２１３１５９号「受信装置および方法」拒絶査定不服審判事件〔平成１０年　２月１３日出願公開、特開平１０−　４２２１２〕について、次のとおり審決する。
【結　論】
　本件審判の請求は、成り立たない。
【理　由】
第１　経緯
　１　経緯
　本願は、平成８年７月２４日の出願であって、平成１７年９月６日付けで拒絶理由が通知され、これに対し、平成１７年１１月７日付けで意見書が提出されると同時に手続補正がなされたが、平成１８年７月２８日付け（発送日同年８月１日）で拒絶査定がなされたものである。
　本件は、本願についてなされた上記拒絶査定を不服として平成１８年８月３１日付けで請求された拒絶査定不服審判であって、平成１８年１０月２日付けで手続補正がなされたものである。
　　
　２　査定の概要
　原査定の理由は、概略、次のとおりである。
　　
［査定の理由］
　請求項１〜６に係る発明は、下記の刊行物に記載された発明に基いて、当業者が容易に発明をすることができたものであるから、特許法第２９条第２項の規定により特許を受けることができない。
　　　　　　　　　記
　引用文献１：特開平７−１３１７２７号公報
　引用文献２：特開平８−５６３５０号公報
　
第２　補正却下の決定
　平成１８年１０月２日付けの手続補正について次のとおり決定する。
　　
［補正却下の決定の結論］
　　平成１８年１０月２日付けの手続補正を却下する。
　　
［理由］
　　本件補正のうち特許請求の範囲についてする補正は特許請求の範囲の減縮を目的とするところ、補正後の請求項１に記載された発明は特許の出願の際独立して特許を受けることができない。
　　本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
　　補正後の請求項１に記載された発明が特許出願の際独立して特許を受けることができないとする理由の詳細は、以下のとおりである。
　　
　１　補正後発明
　　補正後の請求項１に記載された発明（以下「補正後発明」という。）は、以下のとおりである。
　　
「複数のチャンネルからなる伝送信号を受信する受信手段と、
　前記チャンネルに対応するチャンネル番号の大きさの順にチャンネルを切り換えるように指示する指示手段と、
　前記指示手段による指示に応じて、前記受信手段により受信された前記伝送信号の前記チャンネルを選局する選局手段と、
　前記指示手段の操作が開始されたとき、前記指示手段による前記指示に基づいたチャンネルの選局を開始せず、前記指示手段の操作が終了したか否かに基づいて、前記指示手段による指示が連続して行われているか否かを判定し、前記指示手段の操作が終了しないことにより前記指示が連続して行われていると判定された場合、連続して行われている前記指示が終了したと判定されるまで、前記指示手段による指示が連続して行われているか否かの判定を継続し、前記指示手段の操作が終了したことにより連続して行われている前記指示が終了したと判定された場合、前記受信手段により受信された前記伝送信号の、前記指示手段による前記指示に基づいたチャンネルの選局を開始するように前記選局手段を制御する制御手段と
　を備えることを特徴とする受信装置。」
　　
　２　刊行物の記載
　　原査定の拒絶の理由に引用された特開平７−１３１７２７号公報（以下「刊行物」という。）には、「テレビジョン受像機」（発明の名称）に関し、図面と共に次に掲げる事項が記載されている。
　
　〈特許請求の範囲〉
（ア）「【請求項１】入力キーの操作に応じて、プリセットされているチャンネル番号を順次に上昇または下降させ現在のチャンネル番号を設定するチャンネルｕｐ／ｄｏｗｎ制御部と、
　前記チャンネルｕｐ／ｄｏｗｎ制御部から前記設定されたチャンネル番号のデータが供給され、前記設定されたチャンネル番号での選局をチューナ部に行わせる選局制御部と、
　前記チャンネルｕｐ／ｄｏｗｎ制御部から前記設定されたチャンネル番号のデータが供給され、前記設定されたチャンネル番号を画面に表示させる画面表示処理部とを備え、順次選局機能を有したテレビジョン受像機において、
　前記チャンネルｕｐ／ｄｏｗｎ制御部を、
　入力キーの操作に応じて、所定チャンネル数分の順次選局を行わせた後、順次選局動作を中止させる信号を前記選局制御部に供給すると共に、順次選局時よりも速いスピードで現在のチャンネル番号を順次に設定する高速のチャンネルｕｐ／ｄｏｗｎ動作を行うチャンネルｕｐ／ｄｏｗｎ制御部としたことを特徴とするテレビジョン受像機。
　【請求項２】請求項１記載のテレビジョン受像機において、
　前記チャンネルｕｐ／ｄｏｗｎ制御部を、
　常時順次選局を行わせる第１の制御モードと、前記所定チャンネル数分の順次選局を行わせた後に前記高速のチャンネルｕｐ／ｄｏｗｎ動作となる第２の制御モードとを有し、入力キーの操作に応じて前記２つの制御モードを切り換えるチャンネルｕｐ／ｄｏｗｎ制御部としたことを特徴とするテレビジョン受像機。
　【請求項３】〜【請求項５】　（略）　」
　　
　〈産業上の利用分野〉
（イ）「本発明は、受信できる放送が多数ある地域においても、順次選局と同様の簡単な操作により、素早く所望の放送を選局できるテレビジョン（ＴＶ）受像機に関する。」（段落【０００１】）
　　
　〈従来の技術〉
（ウ）「使用者が行う選局方法としては、テンキーによって所望のチャンネル（ＣＨ）を直接入力する方法と、チャンネルｕｐキー（上昇キー）またはチャンネルｄｏｗｎキー（下降キー）により、プリセットされているチャンネルを順次に選局させて所望のチャンネルを選ぶ順次選局方法とがある。」（段落【０００２】）
「図８に従来のテレビジョン受像機の選局制御部を中心としたブロック図を示し、順次選局動作について説明する。」（段落【０００３】）
「リモコン８のチャンネルｕｐキーまたはチャンネルｄｏｗｎキーが押されると、リモコン８から信号が送信され、ＴＶ受像機本体側のリモコン受光部７で受光される。リモコン受光部７で受光された信号は選局制御装置１０（マイクロコンピュータ等で構成）で順次選局のための処理がなされる。そして、選局制御装置１０はチューナ２に選局制御信号を送り順次選局を行わせると同時に、映像処理回路４にＯＳＤ（ｏｎ　ｓｃｒｅｅｎ　ｄｉｓｐｌａｙ）信号を送り、現在受信しているチャンネル番号をＣＲＴ５に表示させる。また、選局制御装置１０は、ＴＶ受像機本体側のキー入力部６において、チャンネルｕｐ／チャンネルｄｏｗｎが入力された場合も、リモコン８で入力した場合と同様の処理を行う。
（段落【０００４】）
「選局制御装置１０は、リモコンコード解析部１１、本体側のキー入力を解析するキーコード解析部１２、チャンネルｕｐ／ｄｏｗｎ部１３、選局部１４、ＯＳＤ処理部１５、タイマ１６により構成されている。この各部の動作を選局制御装置１０の処理手順を示す図９のフローチャートと共に説明する。」（段落【０００５】）
「図９において、まず、ステップ１０２、１０４でチャンネルｕｐキーまたはチャンネルｄｏｗｎキーが押されたか否かを判断する（リモコンコード解析部１１、キーコード解析部１２で行う）。どちらのキーも押されなかった場合はステップ１０１のスタートへ戻る。」（段落【０００６】）
「ステップ１０２でチャンネルｕｐキーが押されたと判断された場合、ステップ１０３のチャンネルｕｐ処理を行う。ステップ１０４でチャンネルｄｏｗｎキーが押されたと判断された場合は、ステップ１０５のチャンネルｄｏｗｎ処理を行う。チャンネルｕｐ／ｄｏｗｎの処理はチャンネルｕｐ／ｄｏｗｎ部１３で行われ、その処理では、ＥＥＰＲＯＭ（電気的消去・再書き込みが可能な読み出し専用メモリ）９に設定されているチャンネルプリセットデータの読み出し、現在のチャンネル番号のセット、選局／ＯＳＤ用のデータ設定を行う。（要するに、前受信チャンネルよりも１つ上側、または１つ下側にプリセットされているチャンネルを受信させるための処理が行われる。）」（段落【０００７】）
「次に、ステップ１０３またはステップ１０５で設定された選局用データを基に、ステップ１０６の選局処理（選局部１４で処理）によりチューナ２に選局制御信号を送り、現在チャンネルの選局（前受信チャンネルよりも１つ上側、または１つ下側にプリセットされているチャンネルの選局）を行わせる。また、ステップ１０３またはステップ１０５で設定されたＯＳＤ用データを基に、ステップ１０７のＯＳＤ処理（ＯＳＤ処理部１５で処理）により、現在チャンネルのＯＳＤ表示信号を映像処理回路４に送り、チャンネル番号を受信番組と同時にＣＲＴ５に表示させる。その後、ステップ１０８のＷＡＩＴ処理により、所定時間（例えば０．８秒程度）、上記現在チャンネルの受信及びチャンネル番号表示を維持し、ステップ１０２に戻る。所定時間はタイマ１６で計測する。」（段落【０００８】）
「チャンネルｕｐキーまたはチャンネルｄｏｗｎキーが押されていなければ上記現在チャンネルの受信を継続し、チャンネルｕｐキーまたはチャンネルｄｏｗｎキーが押し続けられていれば、０．８秒間隔の順次選局が行われる。」（段落【０００９】）
　　
　〈発明が解決しようとする課題〉
（エ）「順次選局は、各放送局の番組内容を確かめながら選局する場合に便利である。しかし、上記のような常に一定スピード（上記の例では０．８秒間隔）の順次選局では、受信できる放送局が多数の場合には、希望の放送を探すのに時間がかかりすぎること（例えば現在受信中のチャンネルと希望するチャンネルとが離れている場合）があり不便である。」（段落【００１１】）
「そこで、この発明は、受信できる放送局が多数の場合であっても、順次選局と同様の簡単な操作により、素早く希望の放送を選局できるテレビジョン受像機を提供することを目的としている。」（段落【００１３】）
　　
　〈実施例〉
（オ）「本発明のＴＶ受像機は、チャンネルｕｐキーまたはチャンネルｄｏｗｎキーを押し続けた場合、所定数分の放送局を順次選局した後に、チャンネル番号の順次ｕｐ／ｄｏｗｎ表示は継続するものの、チャンネルを切り換えての選局処理を中止することにより、チャンネルｕｐ／ｄｏｗｎのスピードを上げ、希望の放送を素早く選択できるようにしたものである。」（段落【００１５】）
「図１に、本発明の一実施例の要部のブロック構成を示す。なお、従来例と同一の部分には同一の符号を付し、その部分の説明は省略する。」（段落【００１６】）
「この実施例では、リモコン２８にスローチャンネルｕｐキーとスローチャンネルｄｏｗｎキー（以下スローチャンネルｕｐ／ｄｏｗｎキーと記すこともある）、及びファーストチャンネルｕｐキーとファーストチャンネルｄｏｗキー（以下ファーストチャンネルｕｐ／ｄｏｗｎキーと記すこともある）を設けている。この４種類のキーは個別に設けてもよいし、キーの数を減らしより操作を簡単にするために、スローチャンネルｕｐキーとスローチャンネルｄｏｗｎキーを１つのシーソーキー、ファーストチャンネルｕｐキーとファーストチャンネルｄｏｗキーを１つのシーソーキーとしてもよい。また、チャンネルｕｐキーとチャンネルｄｏｗキーとの２つのキーとし、押す強さによりスローとファーストとのモードが切り換わるるものでもよい。リモコン２８に設けたものと同機能のキーを、ＴＶ受像機本体側のキー入力部２６にも設ける。」（段落【００１７】）
「スローチャンネルｕｐ／ｄｏｗｎキーでは低速（従来と同スピードの０．８秒間隔）で順次選局（選局とチャンネル番号のＯＳＤ表示）を行う。これが第１の制御モードである。ファーストチャンネルｕｐ／ｄｏｗｎキーでは、中速（０．４秒間隔）で所定チャンネル分の順次選局（選局とチャンネル番号のＯＳＤ表示）を行った後、高速（０．２５秒間隔）でチャンネルのｕｐ／ｄｏｗｎのみを行う（即ち、チャンネルを切り換えての選局は行わずにチャンネル番号設定とＯＳＤ表示のｕｐ／ｄｏｗｎのみを行う）。これが第２の制御モードである。０．２５秒間隔というような高速では、チューナ部で安定した受信ができず、人間も番組内容の確認が行えないことが多いので、順次選局を行わずに、チャンネル番号のｕｐ／ｄｏｗｎのみで十分である。」（段落【００１８】）
「本実施例では、中速から高速に切り換わるまでの順次選局の期間を一例として１５チャンネル分とした。また、高速でのチャンネルのｕｐ／ｄｏｗｎ時には、高速で変わるチャンネル番号表示を見やすくするため、ピクチャーミュートをかけてＣＲＴ５の画面を黒とした（ピクチャーミュート時の画面の色は他の色でもよい）。」（段落【００１９】）
「高速になった後に、ＣＲＴ上に順次番号が変わりながら表示されるチャンネル番号を確認して、所定チャンネル番号でｕｐ／ｄｏｗｎキーを離せば、キーを離した時のチャンネル番号で受信が行われる。次に、ファーストまたはスローのチャンネルｕｐ／ｄｏｗｎキーを押せば順次選局が再開される。」（段落【００２０】）
「このように本実施例では、従来と同様の順次選局のほかに、ファーストチャンネルｕｐ／ｄｏｗｎキーを押し続けることにより、選局処理を中止して高速でチャンネルｕｐ／ｄｏｗｎのみを行う（チャンネル番号設定とＯＳＤ表示のｕｐ／ｄｏｗｎのみを行う）ことができる。（略）」（段落【００２１】）
　　
　〈選局制御装置２０の構成〉
（カ）「次に、上記のような選局動作を行わせる選局制御装置２０について説明する。選局制御装置２０は、図１に示すように、従来と同様のリモコンコード解析部３１、本体側のキー入力を解析するキーコード解析部３２、選局部３５、ＯＳＤ処理部３６、タイマ３７と、従来のチャンネルｕｐ／ｄｏｗｎ部１３に相当するスローチャンネルｕｐ／ｄｏｗｎ部３３と、今回新たに設けたファーストチャンネルｕｐ／ｄｏｗｎ部３４とから成っている。」（段落【００２６】）
　　
　〈選局制御装置２０の処理手順〉　　　
（キ）「選局制御装置２０の処理手順の大きな流れを図２のフローチャートに示す。図２のステップ２０２、ステップ２０４、ステップ２０６、ステップ２０８で、スローチャンネルｕｐ／ｄｏｗｎキー、ファーストチャンネルｕｐ／ｄｏｗｎキーが押されたか否かの判断を行う（リモコンコード解析部３１、キーコード解析部３２で判断）。」（段落【００２７】）
「キーが押された場合は各キーに対応した処理のサブルーチンである、ステップ２０３のスローチャンネｕｐ処理、ステップ２０５のスローチャンネルｄｏｗｎ処理、ステップ２０７のファーストチャンネルｕｐ処理、ステップ２０９のファーストチャンネルｄｏｗｎ処理を行いステップ２０２に戻る。どのキー入力もない場合は、ステップ２１０で、そのキー入力がない状態の直前状態がチャンネルｕｐ／ｄｏｗｎのいずれかのキーが押されていた状態か否かを判断する。そして、キー入力がない状態が、キーが押されていた状態から離された状態である（キーＯＦＦ状態と呼ぶ）と判断された場合は、チャンネルｕｐ／ｄｏｗｎキーＯＦＦ処理（ステップ２１１）を行い、その後ステップ２０２に戻る。他の状態と判断されたときはステップ２１１を経ずにステップ２０２に戻る。」（段落【００２８】）
　　
　〈スローチャンネルｕｐ処理〉
（ク）「次に、各サブルーチンについて説明する。まず、図３にスローチャンネルｕｐ処理のフローチャートを示す。これは従来の順次選局と同じ処理であり、ステップ３０１のチャンネルｕｐ処理はスローチャンネルｕｐ／ｄｏｗｎ部３３で行われ、その処理では、ＥＥＰＲＯＭ９に設定されているチャンネルプリセットデータの読み出し、現在のチャンネル番号のセット、選局／ＯＳＤ用のデータ設定を行う。（要するに、前受信チャンネルよりも１つ上側にプリセットされているチャンネルを受信させるための処理が行われる。）」（段落【００２９】）
「ステップ３０１で設定された選局用データを基に、ステップ３０２の選局処理（選局部３５で処理）によりチューナ２に選局制御信号を送り、現在チャンネルの選局（前受信チャンネルよりも１つ上側にプリセットされているチャンネルの選局）を行わせる。また、ステップ３０１で設定されたＯＳＤ用データを基に、ステップ３０３のＯＳＤ処理（ＯＳＤ処理部３６で処理）により、現在チャンネルのＯＳＤ表示信号を映像処理回路４に送り、チャンネル番号を受信番組と同時にＣＲＴ５に表示させる。その後、ステップ３０４のＷＡＩＴ処理により、所定時間（例えば０．８秒程度）、上記現在チャンネルの受信及びチャンネル番号表示を維持し、メインのルーチンに戻る。所定時間はタイマ３７で計測する。スローチャンネルｕｐキーが押され続けた場合は、ステップ３０１〜３０４を繰り返す。」（段落【００３０】）
　　
　〈スローチャンネルｄｏｗｎ処理〉
（ケ）「図４はスローチャンネルｄｏｗｎ処理のフローチャートである。これは、チャンネルを順次ｄｏｗｎさせていくこと以外は、図３で説明したスローチャンネルｕｐ処理と同様の処理であるので説明は省略する。」（段落【００３２】）
「スローチャンネルｕｐ／ｄｏｗｎ処理の順次選局では、選局の切り換わり速度が低速であるので、十分に放送内容を確認しながら選局できる。」（段落【００３３】）
　　
　〈ファーストチャンネルｕｐ処理〉
（コ）「次に、本実施例の特徴部分であるファーストチャンネルｕｐ処理のサブルーチンについて、図５に示すフローチャートと共に説明する。」（段落【００３４】）
「まず、ステップ５０１でチャンネルｕｐ処理（スローチャンネルｕｐ時と同様の、ＥＥＰＲＯＭ９に設定されているチャンネルプリセットデータの読み出し、現在のチャンネル番号のセット、選局／ＯＳＤ用のデータ設定）を行う。これは、ファーストチャンネルｕｐ／ｄｏｗｎ部３４で行われる。」（段落【００３５】）
「ステップ５０２でファーストチャンネルｕｐした回数をカウントする（ファーストチャンネルｕｐ／ｄｏｗｎ部３４で行う）。このカウント数が１５を越えたか否か（即ち、１５チャンネル分の順次選局が行われたか否か）をステップ５０３で判断し、中速での順次選局処理か高速でのチャンネルｕｐ／ｄｏｗｎ処理かの分岐を行う。カウント数が１５以下ならば中速での順次選局処理モードとなり、ステップ５０４に進み、カウント数が１５を越えていれば、高速でのチャンネルｕｐモードとなり、ステップ５０５へ進む。」（段落【００３６】）
「中速での順次選局処理モードでは、ステップ５０４で選局を行い、ステップ５０６でＯＳＤ処理を行う。選局処理とＯＳＤ処理とは、前述のスローチャンネルｕｐ時と同様である。」（段落【００３７】）
「高速のチャンネルｕｐモードでは、選局処理を行わずにチャンネルｕｐ処理のみ行うので、ステップ５０５でピクチャーＭＵＴＥを行い、ステップ５０６でチャンネル番号を表示するＯＳＤ処理を行う。ステップ５０５でのピクチャーＭＵＴＥは、高速（０．２５秒間隔）で変わるチャンネル番号表示を見やすくするために行い、ファーストチャンネルｕｐ／ｄｏｗｎ部３４から映像処理回路４に制御信号を送って、ＣＲＴ５の画面を黒とする。」（段落【００３８】）
「次のステップ５０７では、ステップ５０３と同様の判断を行い、ステップ５０８、ステップ５０９で順次選局、チャンネルｕｐ処理のそれぞれのＷＡＩＴ処理を行いサブルーチンを終了する。ファーストチャンネルｕｐキーが押され続けた場合は、ステップ５０１〜５０９を繰り返す。」（段落【００３９】）
「ステップ５０２、５０３、５０７の処理はファーストチャンネルｕｐ／ｄｏｗｎ部３４で行っている。」（段落【００４０】）
「なお、ステップ５０８でのＷＡＩＴ処理はステップ５０４の前段で行ってもよく、ステップ５０９のＷＡＩＴ処理はステップ５０５とステップ５０６との間で行ってもよい。」（段落【００４１】）
「また、高速のチャンネルｕｐ／ｄｏｗｎ時にピクチャーＭＵＴＥをかけるのは、前述した高速（０．２５秒間隔）で変わるチャンネル番号表示を見やすくするためという理由の他にもう一つの理由が有る。それは、高速のチャンネルｕｐ／ｄｏｗｎ時には順次選局を中止しているので、高速のチャンネルｕｐ／ｄｏｗｎ時にチューナ部で受信されているのは、高速のチャンネルｕｐ／ｄｏｗｎに移る直前の順次選局で受信した放送であり、ピクチャーＭＵＴＥをかけずに受信している放送を画面に映すと、ＯＳＤ表示のチャンネル番号を、今画面に映っている放送のチャンネル番号であると誤解することを防止するためである。」（段落【００４２】）
　　
　〈ファーストチャンネルｄｏｗｎ処理〉
（サ）「図６はファーストチャンネルｄｏｗｎ処理のフローチャートである。この処理は、チャンネルを順次ｄｏｗｎさせていく以外、図５で説明したファーストチャンネルｕｐ処理と同様の処理であるので、ここでは説明は省略する。」（段落【００４３】）
「上述のような、中速の順次選局動作と高速のチャンネルｕｐ／ｄｏｗｎ動作を組み合わせれば、受信できる放送が多数ある場合であっても、簡単に素早く希望の放送を選局でき、操作性が大幅に向上する。」（段落【００４４】）
　　
　〈チャンネルｕｐ／ｄｏｗｎキーＯＦＦ処理〉
（シ）「次に、チャンネルｕｐ／ｄｏｗｎキーＯＦＦ処理のサブルーチンについて、図７のフローチャートと共に説明する。このチャンネルｕｐ／ｄｏｗｎキーＯＦＦ処理は、順次選局または高速のチャンネルｕｐ／ｄｏｗｎ動作を行っていた状態、即ち、スローまたはファーストのチャンネルｕｐ／ｄｏｗｎキーが押されていた状態から、キーが離された時の処理である。」（段落【００４５】）
「まず、ステップ７０１及びステップ７０２でファーストチャンネルｕｐ／ｄｏｗｎキーが離されたのか、スローチャンネルｕｐ／ｄｏｗｎキーが離されたのかを判断する（リモコンコード解析部３１、キーコード解析部３２で判断）。スローチャンネルｕｐ／ｄｏｗｎキーが離された場合は、ステップ７０６のキーＯＦＦ処理、及びステップ７０７のチャンネルｕｐ／ｄｏｗｎカウント数（図５のステップ５０１、図６のステップ６０２のカウント数）クリアを行ってサブルーチンを終了する。ステップ７０６のキーＯＦＦ処理は、チャンネルｕｐ／ｄｏｗｎキーで最終的に指定されたチャンネルでの受信を継続し、チャンネル番号のＯＳＤ表示を所定時間後に止める処理である。」（段落【００４６】）
「ステップ７０７でカウント数をクリアするのは、中速の順次選局動作から高速のチャンネルｕｐ／ｄｏｗｎ動作に切り換わるタイミングを常に一定にする（即ち１５チャンネル分で常に切り換わるようにする）ためである。」（段落【００４７】）
「ファーストチャンネルｕｐ／ｄｏｗｎキーが離された場合は、ステップ７０３で中速の順次選局動作であったか高速のチャンネルｕｐ／ｄｏｗｎ動作であったかの判断を行う。これは、図５のステップ５０３、図６のステップ６０３と同様の処理である。中速の順次選局であったと判断された場合は、ステップ７０６のキーＯＦＦ処理、及びステップ７０７のチャンネルｕｐ／ｄｏｗｎカウント数クリアを行ってサブルーチンを終了する。」（段落【００４８】）
「ステップ７０３で高速のチャンネルｕｐ／ｄｏｗｎ動作であったと判断された場合は、ステップ７０４の選局処理（選局部３５で行う）、ステップ７０５のＯＳＤ処理（ＯＳＤ処理部３６で行う）を行い、ステップ７０６、７０７を経て終了する。」（段落【００４９】）
「上記のステップ７０３、７０７はファーストチャンネルｕｐ／ｄｏｗｎ部３４で行う。ステップ７０６のキーＯＦＦ処理は、スローチャンネルｕｐ／ｄｏｗｎ部３３、ファーストチャンネルｕｐ／ｄｏｗｎ部３４、選局部３５、ＯＳＤ処理部３６で行う。」（段落【００５０】）
　　
　〈他の実施例〉
（ス）「さらに、上述の実施例では、常時低速で順次選局を行うモードと、中速の順次選局から自動的に高速のチャンネルｕｐ／ｄｏｗｎ動作に移行するモードとの２つのモードを設けたが、順次選局から自動的に高速のチャンネルｕｐ／ｄｏｗｎ動作に移行するモードのみを設けてもよいし、常時順次選局を行うモードと、常時高速のチャンネルｕｐ／ｄｏｗｎ動作を行うモードとの２つのモードを設けてもよい。各場合の順次選局のスピードは、所定のチャンネル数分の選局ごとに段階的に速くなっていく（または遅くなってく）ものでもよい。なお、常時順次選局モードでの順次選局のスピードと、自動的に高速のチャンネルｕｐ／ｄｏｗｎ動作に移行するモードでの順次選局のスピードとは、上記実施例では、常時順次選局モードでの順次選局のスピードの方を遅くしたが、２つの順次選局のスピードは同じでもよい。」（段落【００６０】）
　　
　３　対比
　（１）刊行物発明
　　上記記載によれば、刊行物に記載されている「テレビジョン受信機」は、「受信できる放送が多数ある地域においても、順次選局と同様の簡単な操作により、素早く所望の放送を選局できる」（上記（イ））ものであり、従来の技術において「使用者が行う選局方法としては、テンキーによって所望のチャンネルを直接入力する方法と、チャンネルｕｐキーまたはチャンネルｄｏｗｎキーにより、プリセットされているチャンネルを順次に選局させて所望のチャンネルを選ぶ順次選局方法とがある」（上記（ウ）段落【０００２】）ところ、「順次選局は、各放送局の番組内容を確かめながら選局する場合に便利である」が、「受信できる放送局が多数の場合には、希望の放送を探すのに時間がかかりすぎることがあり不便である」ことから、「受信できる放送局が多数の場合であっても、順次選局と同様の簡単な操作により、素早く希望の放送を選局できるテレビジョン受像機を提供することを目的としている」（上記（エ））。
　実施例においては、「リモコン２８にスローチャンネルｕｐキーとスローチャンネルｄｏｗｎキー（以下スローチャンネルｕｐ／ｄｏｗｎキーと記すこともある）、及びファーストチャンネルｕｐキーとファーストチャンネルｄｏｗ(n)キー（以下ファーストチャンネルｕｐ／ｄｏｗｎキーと記すこともある）を設け」、「リモコン２８に設けたものと同機能のキーを、ＴＶ受像機本体側のキー入力部２６にも設け」（上記（オ）段落【００１７】）ており、「スローチャンネルｕｐ／ｄｏｗｎキーでは低速（従来と同スピードの０．８秒間隔）で順次選局（選局とチャンネル番号のＯＳＤ表示）を行」い、「ファーストチャンネルｕｐ／ｄｏｗｎキーでは、中速（０．４秒間隔）で所定チャンネル分の順次選局（選局とチャンネル番号のＯＳＤ表示）を行った後、高速（０．２５秒間隔）でチャンネルのｕｐ／ｄｏｗｎのみを行う（即ち、チャンネルを切り換えての選局は行わずにチャンネル番号設定とＯＳＤ表示のｕｐ／ｄｏｗｎのみを行う）」（上記（オ）段落【００１８】）。
「高速になった後に、ＣＲＴ上に順次番号が変わりながら表示されるチャンネル番号を確認して、所定チャンネル番号でｕｐ／ｄｏｗｎキーを離せば、キーを離した時のチャンネル番号で受信が行われる」（上記（オ）段落【００２０】）。
　実施例において、テレビジョン受信機は「アンテナ１」と「チューナ２」を有し（図１）、「チューナ２」は従来例と同一であるから（上記（オ）段落【００１６】）、「選局処理（選局部・・・で処理）によりチューナ２に選局制御信号を送り、現在チャンネルの選局を行わせる」（上記（ウ）段落【０００８】）。選局動作を行わせる「選局制御装置２０」は、「従来と同様のリモコンコード解析部３１、本体側のキー入力を解析するキーコード解析部３２、選局部３５、ＯＳＤ処理部３６、タイマ３７と、従来のチャンネルｕｐ／ｄｏｗｎ部１３に相当するスローチャンネルｕｐ／ｄｏｗｎ部３３と、今回新たに設けたファーストチャンネルｕｐ／ｄｏｗｎ部３４とから成っている」（上記（カ））。
　他の実施例として「上述の実施例では、常時低速で順次選局を行うモードと、中速の順次選局から自動的に高速のチャンネルｕｐ／ｄｏｗｎ動作に移行するモードとの２つのモードを設けたが、・・・常時順次選局を行うモードと、常時高速のチャンネルｕｐ／ｄｏｗｎ動作を行うモードとの２つのモードを設けてもよい。」（上記（ス））としている。
　　
　以上のように、刊行物の実施例のテレビ受像機は、スローチャンネルｕｐ／ｄｏｗｎ部３３、ファーストチャンネルｕｐ／ｄｏｗｎ部３４を有している。そして、ファーストチャンネルｕｐ／ｄｏｗｎ部３４として常時高速のチャンネルｕｐ／ｄｏｗｎ動作を行うモードを有することも記載されている。
　そうすると、刊行物から、スローチャンネルｕｐ／ｄｏｗｎ部３３と常時高速のチャンネルｕｐ／ｄｏｗｎ動作を行うファーストチャンネルｕｐ／ｄｏｗｎ部３４を有する発明を認定することができる。
　　
　常時高速のチャンネルｕｐ／ｄｏｗｎ動作は、次のとおりである。
　「選局制御装置２０の処理手順の大きな流れを図２のフローチャートに示す。図２のステップ２０２、ステップ２０４、ステップ２０６、ステップ２０８で、スローチャンネルｕｐ／ｄｏｗｎキー、ファーストチャンネルｕｐ／ｄｏｗｎキーが押されたか否かの判断を行う。」（上記（キ）段落【００２７】）
　「キーが押された場合は各キーに対応した処理のサブルーチンである、・・・ステップ２０７のファーストチャンネルｕｐ処理、ステップ２０９のファーストチャンネルｄｏｗｎ処理を行いステップ２０２に戻る。どのキー入力もない場合は、ステップ２１０で、そのキー入力がない状態の直前状態がチャンネルｕｐ／ｄｏｗｎのいずれかのキーが押されていた状態か否かを判断する。そして、キー入力がない状態が、キーが押されていた状態から離された状態である（キーＯＦＦ状態と呼ぶ）と判断された場合は、チャンネルｕｐ／ｄｏｗｎキーＯＦＦ処理（ステップ２１１）を行い、その後ステップ２０２に戻る。他の状態と判断されたときはステップ２１１を経ずにステップ２０２に戻る。」（上記（キ）段落【００２８】）
　図５はファーストチャンネルｕｐ処理のサブルーチンであり（上記（コ）段落【００３４】）、「ステップ５０１でチャンネルｕｐ処理・・・を行う。」（上記（コ）段落【００３５】）「高速のチャンネルｕｐモードでは、選局処理を行わずにチャンネルｕｐ処理のみ行うので、ステップ５０５でピクチャーＭＵＴＥを行い、ステップ５０６でチャンネル番号を表示するＯＳＤ処理を行う。・・・」（上記（コ）段落【００３８】）
　「・・・ステップ５０９で・・・ＷＡＩＴ処理を行いサブルーチンを終了する。ファーストチャンネルｕｐキーが押され続けた場合は、ステップ５０１〜５０９を繰り返す。」（上記（コ）段落【００３９】）
　ファーストチャンネルｄｏｗｎ処理は、チャンネルを順次ｄｏｗｎさせていく以外、ファーストチャンネルｕｐ処理と同様である（上記（サ））。
　「次に、チャンネルｕｐ／ｄｏｗｎキーＯＦＦ処理のサブルーチンについて、・・・説明する。このチャンネルｕｐ／ｄｏｗｎキーＯＦＦ処理は、・・・高速のチャンネルｕｐ／ｄｏｗｎ動作を行っていた状態、即ち、・・・ファーストのチャンネルｕｐ／ｄｏｗｎキーが押されていた状態から、キーが離された時の処理である。」（上記（シ）段落【００４５】）
　「・・・ステップ７０１・・・でファーストチャンネルｕｐ／ｄｏｗｎキーが離されたのか・・・を判断する・・・。」（上記（シ）段落【００４６】）
　「ステップ７０３で高速のチャンネルｕｐ／ｄｏｗｎ動作であったと判断された場合は、ステップ７０４の選局処理（選局部３５で行う）、ステップ７０５のＯＳＤ処理（ＯＳＤ処理部３６で行う）を行い、ステップ７０６、７０７を経て終了する。」（上記（シ）段落【００４９】）
　　
　常時高速のチャンネルｕｐ／ｄｏｗｎ動作をまとめると次のとおりである。
　ファーストチャンネルｕｐ／ｄｏｗｎキーが押されたか判断され、押された場合は、選局処理を行わず、チャンネルｕｐ／ｄｏｗｎ処理、ピクチャーＭＵＴＥ、チャンネル番号を表示するＯＳＤ処理、ＷＡＩＴ処理を行い、サブルーチンを終了する。そして、再度ファーストチャンネルｕｐ／ｄｏｗｎキーが押されたか判断され、押された場合は上記動作を繰り返す。ファーストｕｐ／ｄｏｗｎキーが押されていないと判断された場合は、ファーストチャンネルｕｐ／ｄｏｗｎキーが離されたのか判断し、離された場合は、選局処理、ＯＳＤ処理を行い、終了する。
　　
　以上より、刊行物には、次の発明（以下「刊行物発明」という。）が記載されていると認められる。
　　
「アンテナ１と、
　選局部３５からの選局制御信号により選局を行うチューナ２と、
　スローチャンネルｕｐ／ｄｏｗｎキーと、
　ファーストチャンネルｕｐ／ｄｏｗｎキーと、
　選局部３５とスローチャンネルｕｐ／ｄｏｗｎ部３３とファーストチャンネルｕｐ／ｄｏｗｎ部３４とを含む選局制御装置２０とを有し、
　選局制御装置２０は、スローチャンネルｕｐ／ｄｏｗｎキーを押すと順次選局（選局とチャンネル番号のＯＳＤ表示）を行い、ファーストチャンネルｕｐ／ｄｏｗｎキーを押すと、選局処理を行わず、チャンネルｕｐ／ｄｏｗｎ処理、ピクチャーＭＵＴＥ、チャンネル番号を表示するＯＳＤ処理、ＷＡＩＴ処理を行い、そして、再度ファーストチャンネルｕｐ／ｄｏｗｎキーが押されたか判断され、押された場合は上記チャンネルｕｐ／ｄｏｗｎ処理等を繰り返し、ファーストｕｐ／ｄｏｗｎキーが押されていないと判断された場合は、ファーストチャンネルｕｐ／ｄｏｗｎキーが離されたのか判断し、離された場合は、選局処理、ＯＳＤ処理を行わさせる
　テレビジョン受像機」
　　
　（２）対比
　　　補正後発明と刊行物発明とを対比する。
　　
　（ａ）「複数のチャンネルからなる伝送信号を受信する受信手段」
　　刊行物発明の「アンテナ１」は、チューナ２０に接続され、チューナにより選局されるのであるから、「複数のチャンネルからなる伝送信号を受信する受信手段」といえる。
　（ｂ）「前記チャンネルに対応するチャンネル番号の大きさの順にチャンネルを切り換えるように指示する指示手段」
　　刊行物発明の「ファーストチャンネルｕｐ／ｄｏｗｎキー」は、チャンネルのｕｐ／ｄｏｗｎを行うものであるから、「前記チャンネルに対応するチャンネル番号の大きさの順にチャンネルを切り換えるように指示する指示手段」といえる。また、刊行物発明の「スローチャンネルｕｐ／ｄｏｗｎキー」は、チャンネルのｕｐ／ｄｏｗｎを行うものであるから、「前記チャンネルに対応するチャンネル番号の大きさの順にチャンネルを切り換えるように指示する指示手段」といえる。
　　もっとも、補正後発明においては、「指示手段」が１つであり、刊行物発明においてはさらに「スローチャンネルｕｐ／ｄｏｗｎキー」を有する点で相違する。
　（ｃ）「前記指示手段による指示に応じて、前記受信手段により受信された前記伝送信号の前記チャンネルを選局する選局手段」
　　刊行物発明の選局制御装置２０は、補正後発明の「指示手段」といえる「ファーストチャンネルｕｐ／ｄｏｗｎキー」を押すと「選局処理を行わず、チャンネルｕｐ／ｄｏｗｎ処理、ピクチャーＭＵＴＥ、チャンネル番号を表示するＯＳＤ処理、ＷＡＩＴ処理を行い、そして、再度ファーストチャンネルｕｐ／ｄｏｗｎキーが押されたか判断され、押された場合は上記チャンネルｕｐ／ｄｏｗｎ処理等を繰り返し、ファーストｕｐ／ｄｏｗｎキーが押されていないと判断された場合は、ファーストチャンネルｕｐ／ｄｏｗｎキーが離されたのか判断し、離された場合は、選局処理、ＯＳＤ処理を行わさせ」、選局処理（選局部で処理）によりチューナ２に選局制御信号を送り、現在チャンネルの選局を行わせるから、刊行物発明の「チューナ２」は、「前記指示手段による指示に応じて、前記受信手段により受信された前記伝送信号の前記チャンネルを選局する選局手段」といえる。
　（ｄ）「前記選局手段を制御する制御手段」
　　刊行物発明の「選局制御装置２０」は、「チューナ２」に選局を行わせるから「選局手段を制御する」ものといえる。
　「選局制御装置２０」は、「ファーストチャンネルｕｐ／ｄｏｗｎキーを押すと、選局処理を行わず、チャンネルｕｐ／ｄｏｗｎ処理、ピクチャーＭＵＴＥ、チャンネル番号を表示するＯＳＤ処理、ＷＡＩＴ処理を行い、そして、再度ファーストチャンネルｕｐ／ｄｏｗｎキーが押されたか判断され、押された場合は上記チャンネルｕｐ／ｄｏｗｎ処理等を繰り返し、ファーストｕｐ／ｄｏｗｎキーが押されていないと判断された場合は、ファーストチャンネルｕｐ／ｄｏｗｎキーが離されたのか判断し、離された場合は、選局処理、ＯＳＤ処理を行わさせる」ものであり、補正後発明における「前記指示手段の操作が開始されたとき、前記指示手段による前記指示に基づいたチャンネルの選局を開始せず、前記指示手段の操作が終了したか否かに基づいて、前記指示手段による指示が連続して行われているか否かを判定し、前記指示手段の操作が終了しないことにより前記指示が連続して行われていると判定された場合、連続して行われている前記指示が終了したと判定されるまで、前記指示手段による指示が連続して行われているか否かの判定を継続し、前記指示手段の操作が終了したことにより連続して行われている前記指示が終了したと判定された場合、前記受信手段により受信された前記伝送信号の、前記指示手段による前記指示に基づいたチャンネルの選局を開始するように前記選局手段を制御する」ものといえる。
　もっとも、刊行物発明における「選局制御装置２０」は、「スローチャンネルｕｐ／ｄｏｗｎキーを押すと順次選局（選局とチャンネル番号のＯＳＤ表示）を行」うものであり、上記（ｂ）のとおり、補正後発明においては、刊行物発明における「スローチャンネルｕｐ／ｄｏｗｎキー」はなく、補正後発明における「制御装置」は、「順次選局」を行わない点で相違する。
　（ｅ）「受信装置」
　　刊行物発明の「テレビジョン受像機」は、「受信装置」といえる。
　　
　４　一致点、相違点
　　補正後発明と刊行物発明との一致点、相違点は以下のとおりである。
［一致点］
　複数のチャンネルからなる伝送信号を受信する受信手段と、
　前記チャンネルに対応するチャンネル番号の大きさの順にチャンネルを切り換えるように指示する指示手段と、
　前記指示手段による指示に応じて、前記受信手段により受信された前記伝送信号の前記チャンネルを選局する選局手段と、
　前記指示手段の操作が開始されたとき、前記指示手段による前記指示に基づいたチャンネルの選局を開始せず、前記指示手段の操作が終了したか否かに基づいて、前記指示手段による指示が連続して行われているか否かを判定し、前記指示手段の操作が終了しないことにより前記指示が連続して行われていると判定された場合、連続して行われている前記指示が終了したと判定されるまで、前記指示手段による指示が連続して行われているか否かの判定を継続し、前記指示手段の操作が終了したことにより連続して行われている前記指示が終了したと判定された場合、前記受信手段により受信された前記伝送信号の、前記指示手段による前記指示に基づいたチャンネルの選局を開始するように前記選局手段を制御する制御手段と
　を備えることを特徴とする受信装置。
　　
［相違点］
　「指示手段」が、
　補正後発明においては、１つであり、
　刊行物発明においては、順次選局を行わせる「スローチャンネルｕｐ／ｄｏｗｎキー」をさらに有しており、
　「制御手段」が、
　補正後発明においては、上記一致点のように選局手段を制御するのに対し、
　刊行物発明においては、さらに、「スローチャンネルｕｐ／ｄｏｗｎキーを押すと順次選局（選局とチャンネル番号のＯＳＤ表示）を行」わせる点。
　　
　５　相違点等の判断
　　刊行物発明は、スローチャンネルｕｐ／ｄｏｗｎキーを押すことで順次選局を行い、ファーストチャンネルｕｐ／ｄｏｗｎキーを押すことで常時高速のチャンネルｕｐ／ｄｏｗｎ動作を行い、その後選局を行うものである。
　この２つの選局の仕方は、ｕｐ／ｄｏｗｎキーを押すことで選局を行う点では同じであり、ファーストチャンネルｕｐ／ｄｏｗｎキーによる選局は、ファーストチャンネルｕｐ／ｄｏｗｎキーを押すことによりチャンネルのｕｐ又はｄｏｗｎを行い、離したときのチャンネルの選局を行うものであるから、ファーストチャンネルｕｐ／ｄｏｗｎキーの操作により順次表示されるチャンネルのｕｐ／ｄｏｗｎに合わせてファーストチャンネルｕｐ／ｄｏｗｎキーを離すことで、スローチャンネルｕｐ／ｄｏｗｎキーと同様に順次に次のチャンネルの選局を行うことが可能なことは明らかである。
　そうすると、スローチャンネルｕｐ／ｄｏｗｎキーがなくても、ファーストチャンネルｕｐ／ｄｏｗｎキーの操作により、チャンネルのｕｐ又はｄｏｗｎと選局が行えるのであり、構成の簡素化は装置の構成を考える場合における一般的な課題といえるから、スローチャンネルｕｐ／ｄｏｗｎキーを設けずに、ファーストチャンネルｕｐ／ｄｏｗｎキーを用いる選局の動作を行わせるようにすることは当業者が容易に想到できるものである。
　　
　そして、補正後発明が奏する効果は、当業者が容易に予測できたものである。
　　
　６　まとめ
　　以上、補正後発明は、刊行物に記載された発明に基づいて、当業者が容易に発明をすることができたものであるから、特許法第２９条第２項の規定により特許出願の際独立して特許を受けることができない。
　　
第３　本願発明について
　１　本願発明
　　平成１８年１０月２日付けの手続補正は、上記のとおり却下されたので、本願の請求項１〜請求項６に係る発明は、平成１７年１１月７日付け手続補正により補正された明細書及び図面の記載からみて、その特許請求の範囲の請求項１〜請求項６に記載した事項により特定されるとおりのものであるところ、請求項１に係る発明（以下「本願発明」という。）は次のとおりである。
　　
「複数のチャンネルからなる伝送信号を受信する受信手段と、
　前記チャンネルに対応するチャンネル番号の大きさの順にチャンネルを切り換えるように指示する指示手段と、
　前記指示手段による指示に応じて、前記受信手段により受信された前記伝送信号の前記チャンネルを選局する選局手段と、
　前記指示手段による指示が連続して行われているか否かを判定し、前記指示が連続して行われていると判定された場合、連続して行われている前記指示が終了したか否かを判定し、連続して行われている前記指示が終了したと判定された場合、前記受信手段により受信された前記伝送信号の、前記指示手段による前記指示に基づいたチャンネルの選局を開始するように前記選局手段を制御する制御手段と
　を備えることを特徴とする受信装置。」
　　
　２　引用文献１の記載
　　原査定の拒絶の理由に引用された引用文献１（特開平７−１３１７２７号公報）の記載事項は、上記第２の２に記載したとおりである。
　　
　３　対比
　（１）引用文献１に記載された発明
　　上記第２の２記載によれば、引用文献１に記載されている「テレビジョン受信機」は、「受信できる放送が多数ある地域においても、順次選局と同様の簡単な操作により、素早く所望の放送を選局できる」（上記（イ））ものであり、従来の技術において「使用者が行う選局方法としては、テンキーによって所望のチャンネルを直接入力する方法と、チャンネルｕｐキーまたはチャンネルｄｏｗｎキーにより、プリセットされているチャンネルを順次に選局させて所望のチャンネルを選ぶ順次選局方法とがある」（上記（ウ）段落【０００２】）ところ、「順次選局は、各放送局の番組内容を確かめながら選局する場合に便利である」が、「受信できる放送局が多数の場合には、希望の放送を探すのに時間がかかりすぎることがあり不便である」ことから、「受信できる放送局が多数の場合であっても、順次選局と同様の簡単な操作により、素早く希望の放送を選局できるテレビジョン受像機を提供することを目的としている」（上記（エ））。
　実施例においては、「リモコン２８にスローチャンネルｕｐキーとスローチャンネルｄｏｗｎキー（以下スローチャンネルｕｐ／ｄｏｗｎキーと記すこともある）、及びファーストチャンネルｕｐキーとファーストチャンネルｄｏｗ(n)キー（以下ファーストチャンネルｕｐ／ｄｏｗｎキーと記すこともある）を設け」、「リモコン２８に設けたものと同機能のキーを、ＴＶ受像機本体側のキー入力部２６にも設け」（上記（オ）段落【００１７】）ており、（上記（オ）段落【００１７】）おり、「スローチャンネルｕｐ／ｄｏｗｎキーでは低速（従来と同スピードの０．８秒間隔）で順次選局（選局とチャンネル番号のＯＳＤ表示）を行」い、「ファーストチャンネルｕｐ／ｄｏｗｎキーでは、中速（０．４秒間隔）で所定チャンネル分の順次選局（選局とチャンネル番号のＯＳＤ表示）を行った後、高速（０．２５秒間隔）でチャンネルのｕｐ／ｄｏｗｎのみを行う（即ち、チャンネルを切り換えての選局は行わずにチャンネル番号設定とＯＳＤ表示のｕｐ／ｄｏｗｎのみを行う）」（上記（オ）段落【００１８】）。
「高速になった後に、ＣＲＴ上に順次番号が変わりながら表示されるチャンネル番号を確認して、所定チャンネル番号でｕｐ／ｄｏｗｎキーを離せば、キーを離した時のチャンネル番号で受信が行われる」（上記（オ）段落【００２０】）。
　実施例において、テレビジョン受信機は「アンテナ１」と「チューナ２」を有し（図１）、「チューナ２」は従来例と同一であるから（上記（オ）段落【００１６】）、「選局処理（選局部・・・で処理）によりチューナ２に選局制御信号を送り、現在チャンネルの選局を行わせる」（上記（ウ）段落【０００８】）。選局動作を行わせる「選局制御装置２０」は、「従来と同様のリモコンコード解析部３１、本体側のキー入力を解析するキーコード解析部３２、選局部３５、ＯＳＤ処理部３６、タイマ３７と、従来のチャンネルｕｐ／ｄｏｗｎ部１３に相当するスローチャンネルｕｐ／ｄｏｗｎ部３３と、今回新たに設けたファーストチャンネルｕｐ／ｄｏｗｎ部３４とから成っている」（上記（カ））。
　　
　ファーストチャンネルｕｐ／ｄｏｗｎ動作は、次のとおりである。
　「選局制御装置２０の処理手順の大きな流れを図２のフローチャートに示す。図２のステップ２０２、ステップ２０４、ステップ２０６、ステップ２０８で、スローチャンネルｕｐ／ｄｏｗｎキー、ファーストチャンネルｕｐ／ｄｏｗｎキーが押されたか否かの判断を行う。」（上記（キ）段落【００２７】）
　「キーが押された場合は各キーに対応した処理のサブルーチンである、・・・ステップ２０７のファーストチャンネルｕｐ処理、ステップ２０９のファーストチャンネルｄｏｗｎ処理を行いステップ２０２に戻る。どのキー入力もない場合は、ステップ２１０で、そのキー入力がない状態の直前状態がチャンネルｕｐ／ｄｏｗｎのいずれかのキーが押されていた状態か否かを判断する。そして、キー入力がない状態が、キーが押されていた状態から離された状態である（キーＯＦＦ状態と呼ぶ）と判断された場合は、チャンネルｕｐ／ｄｏｗｎキーＯＦＦ処理（ステップ２１１）を行い、その後ステップ２０２に戻る。他の状態と判断されたときはステップ２１１を経ずにステップ２０２に戻る。」（上記（キ）段落【００２８】）
　図５はファーストチャンネルｕｐ処理のサブルーチンであり（上記（コ）段落【００３４】）、「ステップ５０１でチャンネルｕｐ処理・・・を行う。」（上記（コ）段落【００３５】）「ステップ５０２でファーストチャンネルｕｐした回数をカウント」し、「このカウント数が１５を越えたか否かをステップ５０３で判断し、中速での順次選局処理か高速でのチャンネルｕｐ／ｄｏｗｎ処理かの分岐を行う。カウント数が１５以下ならば中速での順次選局処理モードとなり、ステップ５０４に進み、カウント数が１５を越えていれば、高速でのチャンネルｕｐモードとなり、ステップ５０５へ進む。」（上記（コ）段落【００３６】）「中速での順次選局処理モードでは、ステップ５０４で選局を行い、ステップ５０６でＯＳＤ処理を行う。・・・」（上記（コ）段落【００３７】）「高速のチャンネルｕｐモードでは、選局処理を行わずにチャンネルｕｐ処理のみ行うので、ステップ５０５でピクチャーＭＵＴＥを行い、ステップ５０６でチャンネル番号を表示するＯＳＤ処理を行う。・・・」（上記（コ）段落【００３８】）「次のステップ５０７では、ステップ５０３と同様の判断を行い、ステップ５０８、ステップ５０９で順次選局、チャンネルｕｐ処理のそれぞれのＷＡＩＴ処理を行いサブルーチンを終了する。ファーストチャンネルｕｐキーが押され続けた場合は、ステップ５０１〜５０９を繰り返す。」（上記（コ）段落【００３９】）
　ファーストチャンネルｄｏｗｎ処理は、チャンネルを順次ｄｏｗｎさせていく以外、ファーストチャンネルｕｐ処理と同様である（上記（サ））。
　「次に、チャンネルｕｐ／ｄｏｗｎキーＯＦＦ処理のサブルーチンについて、・・・説明する。このチャンネルｕｐ／ｄｏｗｎキーＯＦＦ処理は、・・・高速のチャンネルｕｐ／ｄｏｗｎ動作を行っていた状態、即ち、・・・ファーストのチャンネルｕｐ／ｄｏｗｎキーが押されていた状態から、キーが離された時の処理である。」（上記（シ）段落【００４５】）
「・・・ステップ７０１・・・でファーストチャンネルｕｐ／ｄｏｗｎキーが離されたのか・・・を判断する・・・。」（上記（シ）段落【００４６】）
「ファーストチャンネルｕｐ／ｄｏｗｎキーが離された場合は、ステップ７０３で中速の順次選局動作であったか高速のチャンネルｕｐ／ｄｏｗｎ動作であったかの判断を行う。・・・中速の順次選局であったと判断された場合は、ステップ７０６のキーＯＦＦ処理、及びステップ７０７のチャンネルｕｐ／ｄｏｗｎカウント数クリアを行ってサブルーチンを終了する。」（上記（シ）段落【００４８】）
「ステップ７０３で高速のチャンネルｕｐ／ｄｏｗｎ動作であったと判断された場合は、ステップ７０４の選局処理（選局部３５で行う）、ステップ７０５のＯＳＤ処理（ＯＳＤ処理部３６で行う）を行い、ステップ７０６、７０７を経て終了する。」（上記（シ）段落【００４９】）
　　
　ファーストチャンネルｕｐ／ｄｏｗｎ動作をまとめると次のとおりである。
　ファーストチャンネルｕｐ／ｄｏｗｎキーが押されたか判断され、押された場合は、チャンネルｕｐ処理を行い、ファーストチャンネルｕｐ／ｄｏｗｎした回数をカウントし、カウント数が１５を越えたか否かを判断し、カウント数が１５以下ならば中速での順次選局処理モードとなり、カウント数が１５を越えていれば、高速でのチャンネルｕｐ／ｄｏｗｎモードとなり、中速での順次選局処理モードでは、選局、チャンネル番号を表示するＯＳＤ処理を行い、高速のチャンネルｕｐ／ｄｏｗｎモードでは、選局処理を行わずにチャンネルｕｐ／ｄｏｗｎ処理、ピクチャーＭＵＴＥ、ＯＳＤ処理を行い、順次選局、チャンネルｕｐ／ｄｏｗｎ処理のそれぞれのＷＡＩＴ処理を行いサブルーチンを終了する。ファーストチャンネルｕｐ／ｄｏｗｎキーが押され続けた場合は、上記動作を繰り返す。ファーストチャンネルｕｐ／ｄｏｗｎキーが離された場合は、中速の順次選局動作であったか高速のチャンネルｕｐ／ｄｏｗｎ動作であったかの判断を行い、中速の順次選局であったと判断された場合は、キーＯＦＦ処理、及びチャンネルｕｐ／ｄｏｗｎカウント数クリアを行ってサブルーチンを終了し、高速のチャンネルｕｐ／ｄｏｗｎ動作であったと判断された場合は、選局処理、ＯＳＤ処理を行い、終了する。
　　
　以上より、引用文献１には、次の発明（以下「引用文献発明」という。）が記載されていると認められる。
　　
「アンテナ１と、
　選局部３５からの選局制御信号により選局を行うチューナ２と、
　スローチャンネルｕｐ／ｄｏｗｎキーと、
　ファーストチャンネルｕｐ／ｄｏｗｎキーと、
　選局部３５とスローチャンネルｕｐ／ｄｏｗｎ部３３とファーストチャンネルｕｐ／ｄｏｗｎ部３４とを含む選局制御装置２０とを有し、
　選局制御装置２０は、スローチャンネルｕｐ／ｄｏｗｎキーを押すと順次選局（選局とチャンネル番号のＯＳＤ表示）を行い、ファーストチャンネルｕｐ／ｄｏｗｎキーを押すと、チャンネルｕｐ処理を行い、ファーストチャンネルｕｐ／ｄｏｗｎした回数をカウントし、カウント数が１５を越えたか否かを判断し、カウント数が１５以下ならば中速での順次選局処理モードとなり、カウント数が１５を越えていれば、高速でのチャンネルｕｐ／ｄｏｗｎモードとなり、中速での順次選局処理モードでは、選局、チャンネル番号を表示するＯＳＤ処理を行い、高速のチャンネルｕｐ／ｄｏｗｎモードでは、選局処理を行わずにチャンネルｕｐ／ｄｏｗｎ処理、ピクチャーＭＵＴＥ、ＯＳＤ処理を行い、順次選局、チャンネルｕｐ処理のそれぞれのＷＡＩＴ処理を行いファーストチャンネルｕｐ／ｄｏｗｎキーが押され続けた場合は、上記チャンネルｕｐ／ｄｏｗｎ処理等を繰り返し、ファーストチャンネルｕｐ／ｄｏｗｎキーが離された場合は、中速の順次選局動作であったか高速のチャンネルｕｐ／ｄｏｗｎ動作であったかの判断を行い、中速の順次選局であったと判断された場合は、キーＯＦＦ処理、及びチャンネルｕｐ／ｄｏｗｎカウント数クリアを行ってサブルーチンを終了し、高速のチャンネルｕｐ／ｄｏｗｎ動作であったと判断された場合は、選局処理、ＯＳＤ処理を行わせさる
　テレビジョン受像機。」
　　
　（２）対比
　　　本願発明と引用文献発明とを対比する。
　　
　（ａ）「複数のチャンネルからなる伝送信号を受信する受信手段」
　　引用文献発明の「アンテナ１」は、チューナ２０に接続され、チューナにより選局されるのであるから、「複数のチャンネルからなる伝送信号を受信する受信手段」といえる。
　（ｂ）「前記チャンネルに対応するチャンネル番号の大きさの順にチャンネルを切り換えるように指示する指示手段」
　　引用文献発明の「ファーストチャンネルｕｐ／ｄｏｗｎキー」は、チャンネルのｕｐ／ｄｏｗｎを行うものであるから、「前記チャンネルに対応するチャンネル番号の大きさの順にチャンネルを切り換えるように指示する指示手段」といえる。また、引用文献発明の「スローチャンネルｕｐ／ｄｏｗｎキー」は、チャンネルのｕｐ／ｄｏｗｎを行うものであるから、「前記チャンネルに対応するチャンネル番号の大きさの順にチャンネルを切り換えるように指示する指示手段」といえる。
　　もっとも、本願発明においては、「指示手段」が１つであり、引用文献発明においてはさらに「スローチャンネルｕｐ／ｄｏｗｎキー」を有する点で相違する。
　（ｃ）「前記指示手段による指示に応じて、前記受信手段により受信された前記伝送信号の前記チャンネルを選局する選局手段」
　　引用文献発明の選局制御装置２０は、本願発明の「指示手段」といえる「ファーストチャンネルｕｐ／ｄｏｗｎキー」を押すと「チャンネルｕｐ処理を行い、ファーストチャンネルｕｐ／ｄｏｗｎした回数をカウントし、カウント数が１５を越えたか否かを判断し、カウント数が１５以下ならば中速での順次選局処理モードとなり、カウント数が１５を越えていれば、高速でのチャンネルｕｐ／ｄｏｗｎモードとなり、中速での順次選局処理モードでは、選局、チャンネル番号を表示するＯＳＤ処理を行い、高速のチャンネルｕｐ／ｄｏｗｎモードでは、選局処理を行わずにチャンネルｕｐ／ｄｏｗｎ処理、ピクチャーＭＵＴＥ、ＯＳＤ処理を行い、順次選局、チャンネルｕｐ処理のそれぞれのＷＡＩＴ処理を行い、ファーストチャンネルｕｐ／ｄｏｗｎキーが押され続けた場合は、上記チャンネルｕｐ／ｄｏｗｎ処理等を繰り返し、ファーストチャンネルｕｐ／ｄｏｗｎキーが離された場合は、中速の順次選局動作であったか高速のチャンネルｕｐ／ｄｏｗｎ動作であったかの判断を行い、中速の順次選局であったと判断された場合は、キーＯＦＦ処理、及びチャンネルｕｐ／ｄｏｗｎカウント数クリアを行ってサブルーチンを終了し、高速のチャンネルｕｐ／ｄｏｗｎ動作であったと判断された場合は、選局処理、ＯＳＤ処理を行わせ」、選局処理（選局部で処理）によりチューナ２に選局制御信号を送り、現在チャンネルの選局を行わせるから、刊行物発明の「チューナ２」は、「前記指示手段による指示に応じて、前記受信手段により受信された前記伝送信号の前記チャンネルを選局する選局手段」といえる。
　（ｄ）「前記選局手段を制御する制御手段」
　　引用文献発明の「選局制御装置２０」は、「チューナ２」に選局を行わせるから「選局手段を制御する」ものといえる。
　「選局制御装置２０」は、「ファーストチャンネルｕｐ／ｄｏｗｎキーを押すと、チャンネルｕｐ処理を行い、ファーストチャンネルｕｐ／ｄｏｗｎした回数をカウントし、カウント数が１５を越えたか否かを判断し、カウント数が１５以下ならば中速での順次選局処理モードとなり、カウント数が１５を越えていれば、高速でのチャンネルｕｐ／ｄｏｗｎモードとなり、中速での順次選局処理モードでは、選局、チャンネル番号を表示するＯＳＤ処理を行い、高速のチャンネルｕｐ／ｄｏｗｎモードでは、選局処理を行わずにチャンネルｕｐ／ｄｏｗｎ処理、ピクチャーＭＵＴＥ、ＯＳＤ処理を行い、順次選局、チャンネルｕｐ処理のそれぞれのＷＡＩＴ処理を行い、ファーストチャンネルｕｐ／ｄｏｗｎキーが押され続けた場合は、上記チャンネルｕｐ／ｄｏｗｎ処理等を繰り返し、ファーストチャンネルｕｐ／ｄｏｗｎキーが離された場合は、中速の順次選局動作であったか高速のチャンネルｕｐ／ｄｏｗｎ動作であったかの判断を行い、中速の順次選局であったと判断された場合は、キーＯＦＦ処理、及びチャンネルｕｐ／ｄｏｗｎカウント数クリアを行ってサブルーチンを終了し、高速のチャンネルｕｐ／ｄｏｗｎ動作であったと判断された場合は、選局処理、ＯＳＤ処理を行わせさる」ものである。この動作は、カウント数が１５を越える場合は、「選局制御装置２０」は「連続して行われている前記指示が終了したと判定された場合、前記受信手段により受信された前記伝送信号の、前記指示手段による前記指示に基づいたチャンネルの選局を開始するように前記選局手段を制御する」といえる。
　そうすると、「選局制御装置２０」は、「前記指示手段による指示が連続して行われているか否かを判定し、前記指示が連続して行われていると判定された場合、連続して行われている前記指示が終了したか否かを判定し、連続して行われている前記指示が終了したと判定された場合、前記受信手段により受信された前記伝送信号の、前記指示手段による前記指示に基づいたチャンネルの選局を開始するように前記選局手段を制御する制御手段」といえる。
　もっとも、本願発明における「選局制御装置２０」は、「スローチャンネルｕｐ／ｄｏｗｎキーを押すと順次選局（選局とチャンネル番号のＯＳＤ表示）を行」うものであり、上記（ｂ）のとおり、本願発明においては、引用文献発明における「スローチャンネルｕｐ／ｄｏｗｎキー」はなく、本願発明における「制御装置」は、「順次選局」を行わない点で相違する。
　（ｅ）「受信装置」
　　引用文献発明の「テレビジョン受像機」は、「受信装置」といえる。
　　
　４　一致点、相違点
　　本願発明と引用文献発明との一致点、相違点は以下のとおりである。
［一致点］
　複数のチャンネルからなる伝送信号を受信する受信手段と、
　前記チャンネルに対応するチャンネル番号の大きさの順にチャンネルを切り換えるように指示する指示手段と、
　前記指示手段による指示に応じて、前記受信手段により受信された前記伝送信号の前記チャンネルを選局する選局手段と、
　前記指示手段による指示が連続して行われているか否かを判定し、前記指示が連続して行われていると判定された場合、連続して行われている前記指示が終了したか否かを判定し、連続して行われている前記指示が終了したと判定された場合、前記受信手段により受信された前記伝送信号の、前記指示手段による前記指示に基づいたチャンネルの選局を開始するように前記選局手段を制御する制御手段と
　を備えることを特徴とする受信装置。
　　
［相違点］
　「指示手段」が、
　本願発明においては、１つであり、
　引用文献発明においては、順次選局を行わせる「スローチャンネルｕｐ／ｄｏｗｎキー」をさらに有しており、
　「制御手段」が、
　本願発明においては、上記一致点のように選局手段を制御するのに対し、
　引用文献発明においては、さらに、「スローチャンネルｕｐ／ｄｏｗｎキーを押すと順次選局（選局とチャンネル番号のＯＳＤ表示）を行」わせる点。
　　
　５　相違点等の判断
　　引用文献発明は、スローチャンネルｕｐ／ｄｏｗｎキーを押すことで順次選局を行い、ファーストチャンネルｕｐ／ｄｏｗｎキーを押すことで中速の順次選局を行い、さらに高速のチャンネルｕｐ／ｄｏｗｎ動作を行い、その後選局を行うものである。
　この２つの選局の仕方は、ｕｐ／ｄｏｗｎキーを押すことで選局を行う点では同じであり、ファーストチャンネルｕｐ／ｄｏｗｎキーによる選局は、ファーストチャンネルｕｐ／ｄｏｗｎキーを押すことにより中速の順次選局を行い、さらに押し続けるとチャンネルのｕｐ又はｄｏｗｎを行い、離したときのチャンネルの選局を行うものであるから、ファーストチャンネルｕｐ／ｄｏｗｎキーの操作により次のチャンネルの選局を行うことが可能なことは明らかである。
　そうすると、スローチャンネルｕｐ／ｄｏｗｎキーがなくても、ファーストチャンネルｕｐ／ｄｏｗｎキーの操作により、チャンネルのｕｐ又はｄｏｗｎと選局が行えるのであるから、スローチャンネルｕｐ／ｄｏｗｎキーを設けずに、ファーストチャンネルｕｐ／ｄｏｗｎキーを用いる選局の動作を行わせるようにすることは当業者が容易に想到できるものである。
　　
　そして、本願発明が奏する効果は、当業者が容易に予測できたものである。
　　
　６　まとめ
　　以上のとおり、本願の請求項１に係る発明は、引用文献１に記載された発明に基づいて、当業者が容易に発明することができたものであるから、特許法第２９条第２項の規定により特許を受けることができない。
　　
第４　むすび
　以上のとおり、本願の請求項１に係る発明は、引用文献１に記載された発明に基づいて、当業者が容易に発明することができたものであるから、特許法第２９条第２項の規定により特許を受けることができない。
　したがって、残る請求項２〜請求項６に係る発明について検討するまでもなく、本願は拒絶されるべきものである。
　　
　よって、結論のように審決する。